(57)【要約】【課題】本体に対して落し口を摺動させ易くて施工性を向上でき、本体と落し口に生じる隙間も小さくできて水漏れも抑制できる集水器を提供すること。【解決手段】集水器が、樋の樋通路に対して通路が延在するように接続されて底部に貫通孔を含む樋状の水通路を有する本体２を備える。本体２が、水通路の下方かつ貫通孔に対して水通路の延在方向の両側に設けられて該延在方向の外方側に開口を有する下に凸の円弧状の摺動溝８５を有する。本体２が、水通路の下方かつ各摺動溝８５の上方に各摺動溝８５に沿うように位置して上記延在方向の外方側に開口を有する固定溝８０を有する。集水器１が、上側に開口する水収容室を内部に有する落し口３を備える。落し口３が、摺動溝８５に収容されたときには摺動溝８５に対して摺動可能に係合する一方、固定溝８０に収容されたときには固定溝８０に対して相対移動不可に係合する係合爪７０を上側に有する。【選択図】図４
2019007293.tif 000002
【特許請求の範囲】
【請求項１】
樋の樋通路に対し通路が延在するように接続され、底部に貫通孔を含む樋状の水通路、前記水通路の下方かつ前記貫通孔に対して前記水通路の延在方向の両側に設けられ、前記延在方向の外方側に開口を有する下に凸の円弧状の摺動溝、及び前記水通路の下方かつ前記各摺動溝の上方に前記各摺動溝に沿うように位置して前記延在方向の外方側に開口を有する固定溝を有する本体と、
上側に開口する水収容室を内部に有すると共に、前記摺動溝に収容されたときには前記摺動溝に対して摺動可能に係合する一方、前記固定溝に収容されたときには前記固定溝に対して相対移動不可に係合する係合爪を上側に有する落し口と、
を備える集水器。
【請求項２】
前記本体は、前記摺動溝の下面を画定すると共に前記延在方向の外方側に突出する突出部を有し、
前記係合爪が前記固定溝に係合している状態において前記突出部が前記落し口の内面に接触する、請求項１に記載の集水器。
【発明の詳細な説明】
【技術分野】
【０００１】
本開示は、集水器に関する。
【背景技術】
【０００２】
特許文献１に記載されているように、通常、住宅等の建物の軒先には、軒樋と、集水器が取り付けられる。集水器は、軒樋を流れる雨水を集めて下方に流すために設けられる。
【先行技術文献】
【特許文献】
【０００３】
【特許文献１】特開２０１６−９４７５６号公報
【発明の概要】
【発明が解決しようとする課題】
【０００４】
集水器の中には、軒樋から下方に流れる雨水の向きを適切な向きに変動可能なものがある。図７は、そのような参考例の集水器１０１の斜視図である。図７に示すように、この集水器１０１は、本体１０２と落し口１０３を備え、本体１０２に対する落し口１０３の向きを変動可能な摺動構造１１０を有する。
【０００５】
図８は、集水器１０１における摺動構造１１０周辺の分解斜視図であり、摺動構造１１０を説明するための図である。図８に示すように、本体１０２は、本体部１２０と、本体部１２０から下方に突出するガイド部１３０を有する。ガイド部１３０は、断面Ｌ字状の形状を有し、下方向延在部１２１と、水平方向延在部１２２を有する。下方向延在部１２１は、本体部１２０から下方側に延在し、水平方向延在部１２２は、下方向延在部１２１の下端部から水平方向に延在する。
【０００６】
本体部１２０の底面、下方向延在部１２１、及び水平方向延在部１２２は、水平方向に開口する凹部１４０を画定する。凹部１４０の底面、すなわち、水平方向延在部１２２の上面は、下に凸の円弧面となっており、この円弧面は、摺動構造１１０の案内面を構成する。
【０００７】
落し口１０３は、側壁の上部に水平方向に突出する係合爪１５０を有する。係合爪１５０は、凹部１４０内に収容される。係合爪１５０の下面は、水平方向延在部１２２の上面（下に凸の円弧面）に対応する形状の円弧面となっており、水平方向延在部１２２の円弧面に対して自在に摺動可能となっている。
【０００８】
摺動構造１１０は、係合爪１５０とガイド部１３０で構成される。図７に示すように、摺動構造１１０は、落し口１０３の幅方向（本体１０２の水通路１８０の延在方向に略一致）の両側の上部に設けられる。落し口１０３の幅方向の両側で、凹部１４０の下面を構成する円弧面に対して係合爪１５０を円弧面の延在方向に摺動させることで、本体１０２に対する落し口１０３の取付角度を自在に変動可能となっている。
【０００９】
この参考例の集水器１０１において、本体１０２と落し口１０３の接合部からの水漏れ防止のために嵌合部の密着度を上げると、係合爪１５０が凹部１４０に対して摺動しにくくなり、本体１０２に対する落し口１０３の位置決めの施工性が低下する。
【００１０】
一方、施工性を向上させるために、係合爪１５０が凹部１４０に対して摺動し易いように上記嵌合部の密着度を下げると、本体１０２と落し口１０３の間に、より大きな隙間が生じ、その隙間から水漏れし易くなる。
【００１１】
よって、本開示の目的は、本体に対して落し口を摺動させ易くて施工性を向上でき、本体と落し口に生じる隙間も小さくできて水漏れも抑制できる集水器を提供することにある。
【課題を解決するための手段】
【００１２】
上記課題を解決するため、本開示の集水器は、樋の樋通路に対し通路が延在するように接続され、底部に貫通孔を含む樋状の水通路、水通路の下方かつ貫通孔に対して水通路の延在方向の両側に設けられ、延在方向の外方側に開口を有する下に凸の円弧状の摺動溝、及び水通路の下方かつ各摺動溝の上方に各摺動溝に沿うように位置して延在方向の外方側に開口を有する固定溝を有する本体と、上側に開口する水収容室を内部に有すると共に、摺動溝に収容されたときには摺動溝に対して摺動可能に係合する一方、固定溝に収容されたときには固定溝に対して相対移動不可に係合する係合爪を上側に有する落し口と、を備える。
【発明の効果】
【００１３】
本開示に係る集水器によれば、本体に対して落し口を摺動させ易くて施工性を向上でき、本体と落し口に生じる隙間も小さくできて水漏れも抑制できる。
【図面の簡単な説明】
【００１４】
【図１】本開示の一実施形態に係る集水器における摺動構造周辺の分解斜視図であり、その集水器における図８に対応する図である。
【図２】上記集水器を上側から見たときの平面図である。
【図３】上記集水器の本体に対して落し口が摺動可能な施工状態における集水器のＸＺ平面での断面図であり、施工状態の集水器における図２のＡＡ線断面図である。
【図４】図３における領域Ｒ１の部分拡大断面図である。
【図５】上記集水器の本体に対して落し口が摺動不可能な完全嵌合状態における集水器のＸＺ平面での断面図であり、完全嵌合状態の集水器における図２のＡＡ線断面図である。
【図６】図５における領域Ｒ２の部分拡大断面図である。
【図７】参考例の集水器の斜視図である。
【図８】参考例の集水器における摺動構造周辺の分解斜視図であり、摺動構造を説明するための図である。
【発明を実施するための形態】
【００１５】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｘ方向は、集水器１の落し口３の幅方向を表し、集水器１の本体２の水通路５０の延在方向に略一致する。また、Ｙ方向は、落し口３の奥行き方向を表し、Ｚ方向は、落し口３の高さ方向を表す。Ｘ方向、Ｙ方向、及びＺ方向は、互いに直交する。
【００１６】
図１は、本開示の一実施形態に係る集水器１における摺動構造周辺の分解斜視図であり、集水器１における図８に対応する図である。集水器１は、例えば、プラスチック等の樹脂材料で構成される。図１に示すように、集水器１は、本体２と落し口３を備え、本体２は、本体部２０と、２つの落し口取付部３０を有する。本体部２０は、上側に水通路５０を有する。水通路５０は、上側が開口すると共に、延在方向（Ｘ方向に略一致）の両側が側方側に開口する。水通路５０の延在方向の端部の夫々には、例えば軒樋（図示せず）の延在方向の端部が接続される。
【００１７】
図２は、集水器１を上側から見たときの平面図である。図２に示すように、水通路５０の延在方向の中央部には、下側に延在する貫通孔５５が底部５６に設けられる。その結果、雨水が、軒樋から水通路５０に流れ、その後、水通路５０の底部５６にある貫通孔５５を介して下側に流れる。
【００１８】
再度、図１を参照して、本体部２０における水通路５０の延在方向両端部の底面には、ＹＺ切断面において下に凸の円弧面３５が設けられる。一方側の落し口取付部３０は、本体部２０のＸ方向一方側の円弧面３５から下方側に突出し、他方側の落し口取付部３０は、本体部２０のＸ方向他方側の円弧面３５から下方側に突出する。一方側の落し口取付部３０と他方側の落し口取付部３０は、本体部２０を垂直に二等分する平面に対して略面対称に位置する。
【００１９】
落し口取付部３０は、Ｚ方向延在部３１、下側円弧状部３２、及び上側円弧状部３３を含む。Ｚ方向延在部３１は、円弧面３５から下側に延在する。Ｚ方向延在部３１の下面は、Ｚ方向下側に凸の円弧面４０になっている。下側円弧状部３２は、Ｚ方向延在部３１のＺ方向下方側の端部からＸ方向外側に突出する。下側円弧状部３２の上面は、ＹＺ切断面において下に凸の円弧面になっている。一方、上側円弧状部３３は、本体部２０の円弧面３５の下方かつ下側円弧状部３２の上方に、円弧面３５及び下側円弧状部３２の両方に対してＺ方向に間隔をおいて配設される。上側円弧状部３３は、Ｚ方向延在部３１からＸ方向外側に突出する。上側円弧状部３３の上面及び下面の両方は、ＹＺ切断面において下に凸の円弧面になっている。
【００２０】
上側円弧状部３３の上面は、本体部２０の円弧面３５に対して円弧面３５の径方向に略等しい間隔をおいた状態で円弧面３５に沿うように延在する。また、上側円弧状部３３の下面は、下側円弧状部３２の上面に対してその上面の径方向に略等しい間隔をおいた状態で当該上面に沿うように延在する。本体部２０の円弧面３５、Ｚ方向延在部３１のＸ方向外側の側壁、及び上側円弧状部３３の上面は、固定溝８０を画定し、上側円弧状部３３の下面、Ｚ方向延在部３１のＸ方向外側の側壁、及び下側円弧状部３２の上面は、摺動溝８５を画定する。
【００２１】
落し口３は、内部に水収容室８４を有すると共に、Ｙ方向の前側にたて樋嵌合部６０を有する。たて樋嵌合部６０は、環状構造を有し、略円形の開口６１を含む。たて樋嵌合部６０には、図示しない環状のたて樋が、隙間がない状態で接続される。たて樋は、環状構造を有し、内部に雨水を通過させる通路を有する。雨水は、本体２の水通路５０から貫通孔５５（図２参照）を介して落し口３の水収容室８４に流入した後、落し口３の開口６１の内側を通過してたて樋の通路内に流入し、当該通路内を下方に流動する。
【００２２】
落し口３は、Ｘ方向両側の上側端部に円弧状の係合爪７０を有する。Ｘ方向一方側の係合爪７０は、Ｘ方向他方側にＸ方向の内側に突出し、Ｘ方向他方側の係合爪７０は、Ｘ方向一方側にＸ方向の内側に突出する。係合爪７０の上面及び下面の両方は、ＹＺ切断面において下に凸の円弧面になっている。係合爪７０の下面は、下側円弧状部３２の上面及び上側円弧状部３３の上面の両方に対応する形状の円弧面となっている。
【００２３】
図３は、本体２に対して落し口３が摺動可能な施工状態における集水器１のＸＺ平面での断面図であり、施工状態の集水器１における図２のＡＡ線断面図である。また、図４は、図３における領域Ｒ１の部分拡大断面図である。図４に示すように、摺動溝８５におけるＺ方向隙間の長さｂは、固定溝８０におけるＺ方向隙間の長さａよりも長くなっている。また、施工状態では、落し口３の係合爪７０の上面が、上側円弧状部３３の下面に対して間隔をおいた状態で対向する一方、落し口３の係合爪７０の円弧状の下面は、下側円弧状部３２の円弧状の上面に接触し、該上面に対して自重で落ちない程度に嵌合する。この自重で落ちない程度の嵌合により、係合爪７０が、下側円弧状部３２の円弧状の上面に対して摺動自在（スライド自在）となり、その結果、本体２の高さ方向に対する落し口３の奥行き方向の傾斜角度を適切な角度に調整できる。
【００２４】
本体２に対する落し口３の設置角度を適切に調整して、本体２に対する落し口３の位置決めが完了すると、係合爪７０を矢印Ｂで示す方向に上側に押し上げて上側円弧状部３３を乗り越えるように弾性変形させ、係合爪７０を固定溝８０に嵌入する。図４に示すように、係合爪７０の上面は、Ｘ方向外側に行くにしたがって上方に移動する円錐面３８を含む。また、上側円弧状部３３のＸ方向外側かつＺ方向下側の端部８８は、面取りされ、図４に示す断面において湾曲した形状になっている。このため、係合爪７０が上側円弧状部３３を上側に乗り越え易い。
【００２５】
図５は、集水器１の本体２に対して落し口３が摺動不可能な完全嵌合状態における集水器１のＸＺ平面での断面図であり、完全嵌合状態の集水器１における図２のＡＡ線断面図である。また、図６は、図５における領域Ｒ２の部分拡大断面図である。係合爪７０の上面は、図６に示す断面において略Ｘ方向に延在する下に凸の円弧面３９を有し、その円弧面３９は、円錐面３８のＸ方向外側の端部からＸ方向外側に延在する。
【００２６】
図６に示すように、完全嵌合状態においては、係合爪７０の円弧状の下面が上側円弧状部３３の円弧状の上面に接触して該上面から上側の力を受ける。また、係合爪７０の上面にある円弧面３９が本体２の円弧面３５に接触して円弧面３５から下側の力を受ける。このため、係合爪７０は、上下方向に圧縮され、大きな静止摩擦力で固定溝８０に対して容易に移動できなくなる。その結果、落し口３が本体２に密着した状態（隙間が殆どない状態）で固定される。また、完全嵌合状態の際、Ｘ方向の両側において、下側円弧状部３２が、落し口３の内面に接触し、落し口３の内面にＸ方向外側の力を付与する。したがって、落し口３が本体２に確実に固定され、本体２に対する落し口３の角度が確定して維持される。
【００２７】
上記実施形態によれば、集水器１が、底部に貫通孔５５を含む樋状の水通路５０を有する本体２を備える。また、本体２の水通路５０は、樋の樋通路に通路が延在するように接続される。また、本体２が、水通路の下方かつ貫通孔に対して水通路の延在方向の両側に設けられる下に凸の円弧状の摺動溝８５を有し、摺動溝８５は、上記延在方向の外方側に開口を有する。また、本体２が、水通路の下方かつ各摺動溝８５の上方に各摺動溝８５に沿うように位置する固定溝８０を有し、固定溝８０は、上記延在方向の外方側に開口を有する。また、集水器１が、上側に開口する水収容室８４を内部に有する落し口３を備える。また、落し口３が、摺動溝８５に収容されたときには摺動溝８５に対して摺動可能に係合する一方、固定溝８０に収容されたときには固定溝８０に対して相対移動不可に係合する係合爪７０を上側に有する。
【００２８】
したがって、摺動溝８５へ係合爪７０を摺動自在に係合できるので、係合爪７０を摺動溝８５へ収容した状態において、本体２に対する落し口３の取付角度を容易に調整でき、集水器１に接続されるたて樋の位置決めが容易になる。よって、施工者の作業負担を軽減できる。
【００２９】
更には、本体２に対する落し口３の相対位置が決まった後、係合爪７０を押し上げて、固定溝８０に収容すると、係合爪７０を固定溝８０に相対移動不可に係合でき、本体２に対して落し口３を密着させた状態で固定できる。したがって、本体２と落し口３との間の隙間を低減でき、本体２と落し口３との間からの漏水を低減できる。その結果、互いにトレードオフの関係にある、施工の容易性と、水漏れの低減の両方を同時に実現できる。
【００３０】
また、本体２は、摺動溝８５の下面を画定すると共に側方側に突出する突出部（下側円弧状部３２）を有してもよく、係合爪７０が固定溝８０に係合している状態において下側円弧状部３２が落し口３の内面に接触してもよい。
【００３１】
上記構成によれば、係合爪７０が固定溝８０に係合している際、Ｘ方向の両側において、下側円弧状部３２から落し口３にＸ方向外側の力を付与でき、下側円弧状部３２と落し口３の内面との間に静止摩擦力を生成できる。よって、落し口３を本体２により確実に固定できる。
【００３２】
尚、本開示は、上記実施形態およびその変形例に限定されるものではなく、本願の特許請求の範囲に記載された事項およびその均等な範囲において種々の改良や変更が可能である。
【００３３】
例えば、上記実施形態では、係合爪７０が固定溝８０に係合している状態において、下側円弧状部３２が落し口３の内面に接触する場合について説明した。しかし、係合爪が固定溝に係合している状態において、下側円弧状部が落し口の内面に対して間隔をおいて位置してもよい。
【００３４】
また、係合爪７０の上面が、Ｘ方向外側に行くにしたがって上方に移動する円錐面３８を含み、上側円弧状部３３のＸ方向側かつＺ方向下側の端部８８が、面取りされ、図４に示す断面において湾曲した形状になっている場合について説明した。しかし、係合爪の上面は、円錐面を有さなくてもよく、上側円弧状部のＸ方向側かつＺ方向下側の端部は、面取りされていなくてもよい。
【符号の説明】
【００３５】
１  集水器、  ２  本体、  ３  落し口、  ３２  下側円弧状部（突出部）、  ５０  水通路、  ５５  貫通孔、  ５６  底部、  ７０  係合爪、  ８０  固定溝、  ８４  水収容室、  ８５  摺動溝。
【図１】
2019007293.tif 000003
【図２】
2019007293.tif 000004
【図３】
2019007293.tif 000005
【図４】
2019007293.tif 000006
【図５】
2019007293.tif 000007
【図６】
2019007293.tif 000008
【図７】
2019007293.tif 000009
【図８】
2019007293.tif 000010